(57)【要約】      （修正有）【課題】検体の位置を固定可能で、且つ、溶液を特定の位置に保持できるため、落下や傾きが生じた場合でも検体を溶液中に完全に浸漬可能であり、検査結果の精度を保証可能な検体採取容器を提供する。【解決手段】ボトル体、蓋体及び検体採取棒を含む検体採取容器であって、ボトル体１０は内側に収容領域が形成され、開口を有する。蓋体２０は、ボトル体に対し取り外し可能に結合される。検体採取棒３０は、接続部、固定部３２及び少なくとも１つのストッパ３３、３４を有する。接続部と固定部はそれぞれ検体採取棒の両端に位置する。接続部は蓋体に接続され、ストッパは接続部と固定部の間に位置し、収容領域を少なくとも２つの区画４１〜４３に分割する。ストッパの外縁は移動可能にボトル体の内側に接触する。【選択図】図１
0003227154.tif 000002
【実用新案登録請求の範囲】
【請求項１】
内側に収容領域が形成されており、開口を有するボトル体と、
前記ボトル体に対し取り外し可能に結合される蓋体と、
接続部、固定部及び少なくとも１つのストッパを有する検体採取棒、を含み、
前記接続部と前記固定部はそれぞれ前記検体採取棒の両端に位置し、前記接続部は前記蓋体に接続され、前記ストッパは前記接続部と前記固定部の間に位置し、且つ、前記ストッパは前記収容領域を少なくとも２つの区画に分割し、前記ストッパの外縁は移動可能に前記ボトル体の内側に接触する検体採取容器。
【請求項２】
前記ストッパは、円盤、円錐台又は円柱であり、前記ストッパの径方向面は前記検体採取棒の軸心に対し垂直である請求項１に記載の検体採取容器。
【請求項３】
前記ストッパの数は２つである請求項１に記載の検体採取容器。
【請求項４】
少なくとも１つのストッパは少なくとも１つの窪みを更に有し、前記窪みはこれらの区画を連通する請求項１に記載の検体採取容器。
【請求項５】
前記窪みは前記ストッパの外縁に位置する請求項４に記載の検体採取容器。
【請求項６】
前記固定部は、１つ又は複数に分岐している請求項１に記載の検体採取容器。
【請求項７】
前記蓋体は前記ボトル体にネジ接続される請求項１に記載の検体採取容器。
【請求項８】
前記蓋体は更に内当接面を有し、前記内当接面は前記蓋体内に凹陥しており、前記内当接面は錐状又は円弧状をなしている請求項１に記載の検体採取容器。
【請求項９】
前記固定部は、前記収容領域の底部に接触しない請求項１に記載の検体採取容器。
【請求項１０】
前記ボトル体は第１カラム区間及び第２カラム区間を更に有し、前記第２カラム区間は前記第１カラム区間に連なるとともに前記開口から離間しており、前記第２カラム区間の内径は前記第１カラム区間の内径よりも小さいことから内径差面が形成され、前記内径差面は前記ストッパに当接する請求項１〜９のいずれかに記載の検体採取容器。
【考案の詳細な説明】
【技術分野】
【０００１】
本考案は、検体を収容する検体採取容器に関し、特に、胃内視鏡検査で取り出した検体と、検体を浸漬するための溶液を特定の位置に保持可能とする検体採取容器に関する。
【背景技術】
【０００２】
胃内視鏡検査の際に、疑わしい病巣を発見した場合や、ヘリコバクター・ピロリへの感染有無を検査したい場合には、一部組織を検体として取り出して病理検査する必要がある。しかし、検体は、取り出したあと検査用の溶液に浸漬して、その後の分析まで待機せねばならない。よって、検体及び溶液を収容するための適切な検体採取容器が必要である。一般的に、検体採取容器は蓋体とボトル体のみを備える。検体採取容器に検体を投入して溶液に浸漬したあと、蓋体とボトル体をネジ接続してから、検体採取容器は直立状態で静置され、その後の分析まで待機する。検体採取容器を静置している際に、外力の影響で容器が意図せず落下したり傾いたりした場合、検体はぐらついて位置が変動してしまう。また、検体採取容器が直立状態でなくなることから、液体の形状や位置も変化する。その結果、検体を溶液で浸すことができなくなり、検査結果の精度が損なわれる。
【考案の概要】
【考案が解決しようとする課題】
【０００３】
本考案は、検体の位置を固定可能であり、且つ、溶液を特定の位置に保持できるため、落下や傾きが生じた場合でも検体を溶液中に完全に浸漬可能であり、検査結果の精度を保証可能な検体採取容器を提供することを目的とする。
【課題を解決するための手段】
【０００４】
上記の目的を達成すべく、本考案は、ボトル体、蓋体及び検体採取棒を含む検体採取容器を提供する。前記ボトル体は内側に収容領域が形成されている。また、前記ボトル体は開口を有する。前記蓋体は、前記ボトル体に対し取り外し可能に結合される。前記検体採取棒は、接続部、固定部及び少なくとも１つのストッパを有する。前記接続部と前記固定部はそれぞれ前記検体採取棒の両端に位置する。前記接続部は前記蓋体に接続され、前記ストッパは前記接続部と前記固定部の間に位置する。且つ、前記ストッパは前記収容領域を少なくとも２つの区画に分割する。前記ストッパの外縁は移動可能に前記ボトル体の内側に接触する。
【０００５】
状況によって、前記ストッパは、円盤、円錐台又は円柱であり、前記ストッパの径方向面は前記検体採取棒の軸心に対し垂直である。
【０００６】
状況によって、前記ストッパの数は２つである。
【０００７】
状況によって、少なくとも１つのストッパは少なくとも１つの窪みを更に有し、前記窪みはこれらの区画を連通する。
【０００８】
状況によって、前記窪みは前記ストッパの外縁に位置する。
【０００９】
状況によって、前記固定部は、１つ又は複数に分岐している。
【００１０】
状況によって、前記蓋体は前記ボトル体にネジ接続される。
【００１１】
状況によって、前記蓋体は更に内当接面を有し、前記内当接面は前記蓋体内に凹陥しており、前記内当接面は錐状又は円弧状をなしている。
【００１２】
状況によって、前記固定部は、前記収容領域の底部に接触しない。
【００１３】
状況によって、前記ボトル体は第１カラム区間及び第２カラム区間を更に有する。前記第２カラム区間は、前記第１カラム区間に連なるとともに前記開口から離間している。前記第２カラム区間の内径は前記第１カラム区間の内径よりも小さいことから内径差面が形成され、前記内径差面は前記ストッパに当接する。
【考案の効果】
【００１４】
従って、本考案が提供する検体採取容器によれば、固定部を検体に挿入することで、外力の影響で検体が任意に漂うことのないよう検体の位置を固定することが可能である。且つ、検体採取容器が落下したり傾いたりした場合に、溶液を任意に流動させることなく元の位置に保持可能である。よって、本考案が提供する検体採取容器によれば、不注意で落下したり傾いたりした場合に検体を溶液に完全には浸せなくなるとの課題を解決可能である。
【図面の簡単な説明】
【００１５】
【図１】図１は、本考案における検体採取容器の第１実施例の斜視図である。
【図２】図２は、本考案における検体採取容器の第１実施例の分解斜視図である。
【図３】図３は、本考案における検体採取容器の第１実施例の部分拡大図である。
【図４】図４は、本考案における検体採取容器の第１実施例の断面図である。
【図５】図５は、本考案における検体採取容器の第１実施例の使用状態の断面図である。
【図６】図６は、図５の部分拡大図である。
【図７】図７は、本考案における検体採取容器の第２実施例の分解斜視図である。
【図８】図８は、本考案における検体採取容器の第２実施例の使用状態の断面図である。
【図９】図９は、本考案における検体採取容器の第３実施例の使用状態の断面図（１）である。
【図１０】図１０は、本考案における検体採取容器の第３実施例の使用状態の断面図（２）である。
【考案を実施するための形態】
【００１６】
本考案は、後の検査及び分析のために検体の位置を固定し、検体を検査用の関連の溶液に浸漬可能な検体採取容器を提供する。本考案の第１実施例について、図１〜図４を参照する。本実施例の検体採取容器は、ボトル体１０、蓋体２０及び検体採取棒３０を含む。
【００１７】
ボトル体１０の外形は円柱状をなしている。ボトル体１０は上方に開口１１を有する。また、ボトル体１０の内側の中空部分に収容領域１２が形成されている。ボトル体１０は底部にボトル底１３を有する。ボトル底１３は、ボトル体１０に成型される中空の円柱である。検体採取容器は、ボトル底１３で支持することで直立状態を維持可能である。また、ボトル底１３と収容領域１２は、ボトル体１０に成型される保持部１４により分割されている。保持部１４の上下の表面は、鋭端が下方を向く錐状をなしている。ボトル体１０は、開口１１に隣接する箇所に雄ネジを有し、雄ネジの下方にリング状の凸部１５を有している。リング状の凸部１５の外径はボトル体１０の外径よりも大きい。また、リング状の凸部１５の下側は、一部がボトル体１０に沿ってボトル体１０の外径と等しくなるまで下方に向かって徐々に縮小しており、鋭端が下方を向くリング歯１６を形成している。そのため、使用者は、検体採取容器を手に取る際に、指又は親指と人差し指の間をリング状の凸部１５の下方に当てることで、手からボトル体１０が滑り落ちるのを回避することができる。ボトル体１０は、第１カラム区間１７と第２カラム区間１８を有する。第２カラム区間１８は第１カラム区間１７に連なっており、且つ開口１１から離間している。第２カラム区間１８の内径は前記第１カラム区間１７の内径よりも小さいことから、内径差面１９が形成される。
【００１８】
蓋体２０の外形も円柱状をなしている。且つ、蓋体２０の外径はボトル体１０の外径よりも大きい。蓋体２０は、内側にボトル体１０に対応するネジ山を有しており、ボトル体１０にネジ接続することが可能である。蓋体２０は、収容領域１２に向かって突出する円環柱状の支持部２１を有する。支持部２１の外径は蓋体２０の内径よりも小さい。また、蓋体２０は外側に複数の細線状の凸部２２を有するため、使用者の手部が蓋体２０と接触する際の摩擦力を強化可能である。これにより、蓋体２０の滑り落ちが回避されるほか、蓋体２０をボトル体１０に締結しやすくなる。
【００１９】
検体採取棒３０は、接続部３１、固定部３２及びストッパ３３，３４を有する。このうち、接続部３１と固定部３２はそれぞれ検体採取棒３０の両端に位置する。蓋体２０の支持部２１の内径は、接続部３１の直径とほぼ等しいか、接続部３１の直径よりもやや小さい。そのため、接続部３１は、挿入により固定する方式で蓋体２０の支持部２１に接続可能である。しかし、本考案のその他の可能な実施例において、接続部３１は、接着、掛接又は溶接により蓋体２０に接続してもよいし、蓋体２０と検体採取棒３０を一体的に成型してもよく、本考案は上記に限らない。固定部３２は、接続部３１から離間する方向に二股に分岐している。且つ、固定部３２は収容領域１２の底部に接触しない。ストッパ３３，３４は円錐台をなしており、且つ、固定部３２の上方に間隔を置いて設けられている。また、ストッパ３３，３４の径方向面は検体採取棒３０の軸心に対し垂直であり、ストッパ３３，３４における最小の径方向面同士が対向している。ストッパ３３，３４は、収容領域１２を区画４１，４２，４３に分割する。ストッパ３３，３４の最大外径はボトル体１０の内径とほぼ同じかボトル体１０の内径よりもやや小さいため、ストッパ３３，３４の最大外縁は移動可能にボトル体１０の内側に接触する。ストッパ３３，３４の最大外縁は、窪み３３１，３４１をそれぞれ有する。窪み３３１，３４１の数はそれぞれ４つであり、各ストッパの４つの窪み同士の距離は互いに等しい。且つ、窪み３３１，３４１の位置は対向しており、窪み３３１，３４１によって区画４１，４２，４３を互いに連通可能としている。しかし、本考案のその他の可能な実施例において、各ストッパの４つの窪み同士の距離は等しくなくともよく、窪み３３１，３４１の位置が対向していなくともよい。即ち、本考案は上記に限らない。また、窪み３３１，３４１は、ストッパ部３３，３４の径方向面又は側面に位置していてもよく、区画４１，４２，４３を互いに連通させるとの効果が達せられればよい。よって、本考案は上記に限らない。
【００２０】
図５及び図６を参照して、使用者は、まず検査用の適量の溶液を収容領域１２に投入し、溶液の上面と内径差面１９を略同じとする。次に、胃内視鏡検査によって検体９０を取り出したあと、使用者は手で蓋体２０を持ち、蓋体２０に挿入固定された検体採取棒３０の固定部３２を検体９０に挿入する。そして、鉗子から検体９０を取り外すと、検体採取棒３０を検体９０と一緒にボトル体１０に挿入する。検体採取棒３０がボトル体１０の第１カラム区間１７を通る際には、ストッパ３３，３４の最大外径がボトル体１０の内径とほぼ同じかボトル体１０の内径よりもやや小さいことから、検体採取棒３０が収容領域１２の底部に向かって移動しつつ、ストッパ３３，３４の外縁が第１カラム区間１７の内側に接触して収容領域１２を分割する。検体採取棒３０をボトル体１０に挿入し続けると、収容領域１２内の空気がストッパ３３，３４に押されて窪み３３１，３４１からボトル体１０の外部へと放出される。これにより、収容領域１２内の気圧上昇に伴う抗力で検体採取棒３０をボトル体１０に挿入しにくくなるとの事態が回避される。また、検体採取棒３０をボトル体１０に挿入する過程で、ストッパの外縁がボトル体１０の内側と接触して生じる摩擦力により、検体採取棒３０が挿入時にわずかに震動したり動きが滞ったりすることがある。しかし、間隔を置いて設置されるストッパ３３，３４によって、検体採取棒３０の挿入過程をより安定させることができる。最後に、蓋体２０をボトル体１０にネジ接続すると、ストッパ３３における最大の径方向面と内径差面１９が当接する。このとき、検体９０を完全に溶液に浸漬可能となる。また、固定部３２が検体９０の位置を固定可能なため、検体９０は外力の影響で任意に漂うことがない。
【００２１】
上述したように、本実施例で提供する検体採取容器では、ストッパ３３が内径差面１９に当接することで溶液を区画４１に保持可能となる。よって、検体採取容器が傾いたり落下したりしても、溶液を任意に流動させることなく区画４１に留められるため、検体９０を浸漬するとの効果が有効に達せられる。また、溶液を投入する際に不注意で過剰な溶液を投入してしまい、溶液の表面が内径差面１９を超えた場合には、検体採取棒３０をボトル体１０に挿入する過程で、余分な溶液がストッパ３３に押されて窪み３３１から区画４２へと滲出し、区画４１の外側に隔てられる。そのため、区画４１には、検査のたびに決まった量の溶液のみが保持されることになる。よって、人為的に操作することで溶液量が不正確になるとの事態が減少し、検査の一致性と精度が向上する。
【００２２】
本考案の第２実施例について、図７及び図８を参照する。本考案の第２実施例における検体採取容器は、ストッパの数が１つであることを除き、図１〜図６に示した第１実施例とほぼ同様である。よって、第２実施例では、原則的に第１実施例の部材の符号を使用する。また、第２実施例におけるその他の説明については、第１実施例の関連の説明を参照するものとし、ここでは改めて詳述しない。本考案の第２実施例におけるストッパ３３は、収容領域１２を区画４１，４４に分割する。蓋体２０をボトル体１０にネジ接続すると、ストッパ３３における最大の径方向面が内径差面１９に当接する。このとき、検体９０を完全に溶液に浸漬することが可能となる。また、固定部３２が検体９０の位置を固定することが可能なため、検体９０が外力の影響で任意に漂うことがない。更に、溶液を区画４１に保持することが可能となり、傾きや落下によって任意に流動することもない。従って、上記第１実施例と類似の使用機能を有する。しかし、本考案のその他の可能な実施例において、４つの窪み３３１の距離は等しくなくともよく、本考案は上記に限らない。また、窪み３３１は、ストッパ部３３の径方向面又は側面に位置していてもよく、区画４１，４４を互いに連通させるとの効果が得られればよい。よって、本考案は上記に限らない。また、溶液を投入する際に不注意で過剰な溶液を投入してしまい、溶液の表面が内径差面１９を超えた場合には、検体採取棒３０をボトル体１０に挿入する過程で、余分な溶液がストッパ３３に押されて窪み３３１から区画４４へと滲出する。
【００２３】
本考案の第３実施例について、図９及び図１０を参照する。本考案の第３実施例における検体採取容器は、図７及び図８で示した第２実施例とほぼ同様である。ただし、蓋体２０は支持部２１の代わりに内当接面２３を有する。内当接面２３は錐状をなしている。且つ、接続部３１のうち内当接面２３に接続される部分は、対応する錐状の突起となっている。第３実施例では、原則的に第２実施例における部材の符号を使用する。また、第３実施例のその他の説明については第２実施例の関連の説明を参照するものとし、ここでは改めて詳述しない。本考案の第３実施例における蓋体２０は内当接面２３を有する。内当接面２３は錐状をなしており、且つ蓋体２０内へと凹陥している。使用者は、検体採取棒３０を手に取って検体９０に挿入したあと、検体採取棒３０と検体９０を一緒にボトル体１０に挿入する。図９に示すように、検体採取棒３０は、上端が支持されていないためボトル体１０の内側で傾斜し、ストッパ３３における最大の径方向面が内径差面１９と完全には当接し得ない恐れがある。使用者が蓋体２０をボトル体１０にネジ接続する過程では、検体採取棒３０の接続部３１が内当接面２３に接触し、検体採取棒３０が蓋体２０により押圧される。すると、蓋体２０の内当接面２３は錐状をなしているため、検体採取棒３０の接続部３１が内当接面２３に沿って内当接面２３の中心位置に向かって移動する。ネジ接続が完了すると、接続部３１は内当接面２３の中心位置まで案内される。このとき、図１０に示すように、ストッパ３３と内径差面１９が完全に当接可能となる。また、溶液が区画４１に保持されるため、検体採取容器が傾いたり落下したりしても、溶液は任意に流動することなく区画４１に保持されたままとなる。よって、上記実施例と類似の使用機能を有し得る。このほか、接続部３１は内当接面２３に対応する形状を有しているため、ネジ接続が完了すると、接続部３１は任意にぐらつくことなく内当接面２３の中心位置に保持可能となる。なお、本考案の第３実施例における接続部３１は、移動可能に接触する方式で蓋体２０の内当接面２３に接続される。そのため、ネジ接続の過程において、蓋体２０は内当接面２３を通じて検体採取棒３０の位置を案内することも可能である。このほか、蓋体２０の内当接面２３が円弧状をなし、接続部３１が内当接面２３に対応する形状をなしていてもよい。本考案では、接続部３１が、ネジ接続の際に内当接面２３の中心位置に向かって移動し、ネジ接続の完了後に任意にぐらつくことなく位置を保持できればよく、上記に限らない。
【００２４】
上記の実施例において、ボトル体、蓋体及び検体採取棒の材質はプラスチックである。しかし、本考案のその他の可能な実施例において、ボトル体の材質はガラスとしてもよく、本考案は上記に限らない。
【００２５】
上記の実施例において、ボトル体及び蓋体の外形はいずれも円柱状をなし、蓋体は外側に複数の細線状の凸部を有している。しかし、本考案のその他の可能な実施例において、ボトル体と蓋体はその他の外形をなしていてもよい。蓋体の外側はその他の形状の突起又は凹陥等の非平滑表面としてもよく、本考案は上記に限らない。
【００２６】
上記の実施例において、ボトル体は開口に隣接する箇所に雄ネジを有している。また、蓋体は内側にボトル体に対応するネジ山を有しており、ボトル体に対しネジ接続可能である。しかし、本考案におけるその他の可能な実施例では、ボトル体が開口に隣接する箇所に雌ネジを有し、蓋体がボトル体に対応する雄ネジを有するよう変更してもよい。或いは、蓋体とボトル体を掛合方式で結合してもよく、本考案は上記に限らない。
【００２７】
上記の実施例において、ボトル体はリング状の凸部とリング歯を有するため、ボトル体が使用者の手から滑り落ちるとの事態を回避可能である。しかし、本考案におけるその他の可能な実施例では、ボトル体がリング歯を有することなくリング状の凸部のみを有してもよいし、リング状の凸部もリング歯も備えなくてもよいし、その他の滑り止め機能を有する表面に変更してもよい。即ち、本考案は上記に限らない。
【００２８】
上記の実施例において、ボトル底はボトル体に成型される中空の円柱であり、ボトル底と収容領域はボトル体に成型される保持部によって分割されている。また、保持部の上下の表面は、鋭端が下方を向く錐状をなしている。しかし、本考案におけるその他の可能な実施例では、保持部における上下の表面のうち任意の一方が平面又は円弧状をなしてもよいし、上下の表面がいずれも平面又は円弧状をなしてもよく、本考案は上記に限らない。また、ボトル体がボトル底を有さずに、下表面が平面をなす保持部によって直接支持することで直立を維持してもよいし、ボトル体がボトル底を有さずに、試験管台に置くことで直立を維持してもよく、本考案は上記に限らない。
【００２９】
上記の実施例において、ボトル体は、第１カラム区間、第２カラム区間及び内径差面を有する。しかし、本考案におけるその他の可能な実施例では、ボトル体が内側に収容領域に向かって突出するリング状部（図示しない）を有し、リング状部の上表面がストッパにおける最大の径方向面に当接可能となるよう変形してもよい。この場合にも、溶液を任意に流動させずに区画内に保持するという類似の効果を得ることができる。
【００３０】
総括すると、本考案の検体採取容器は、外力の影響によって検体が任意に漂うことのないよう、検体の位置を収容領域の区画に固定することが可能であるとともに、溶液を区画に保持することも可能である。よって、検体採取容器が傾いたり落下したりしても、溶液を任意に流動させることなく区画に保持したままとでき、検体を浸漬するとの効果が有効に達せられる。ただし、上記の実施例は本考案の技術内容を説明及び詳述するためのものにすぎず、本件の請求の範囲は後述の実用新案登録請求の範囲に準じるものとする。
【符号の説明】
【００３１】
１０  ボトル体
１１  開口
１２  収容領域
１３  ボトル底
１４  保持部
１５  リング状の凸部
１６  リング歯
１７  第１カラム区間
１８  第２カラム区間
１９  内径差面
２０  蓋体
２１  支持部
２２  細線状の凸部
２３  内当接面
３０  検体採取棒
３１  接続部
３２  固定部
３３，３４  ストッパ
３３１，３４１  窪み
４１，４２，４３，４４  区画
９０  検体
【図１】
0003227154.tif 000003
【図２】
0003227154.tif 000004
【図３】
0003227154.tif 000005
【図４】
0003227154.tif 000006
【図５】
0003227154.tif 000007
【図６】
0003227154.tif 000008
【図７】
0003227154.tif 000009
【図８】
0003227154.tif 000010
【図９】
0003227154.tif 000011
【図１０】
0003227154.tif 000012
【手続補正書】
【提出日】令和2年5月12日(2020.5.12)
【手続補正１】
【補正対象書類名】実用新案登録請求の範囲
【補正対象項目名】全文
【補正方法】変更
【補正の内容】
【実用新案登録請求の範囲】
【請求項１】
内側に収容領域が形成されており、開口を有するボトル体と、
前記ボトル体に対し取り外し可能に結合される蓋体と、
接続部、固定部及び少なくとも１つのストッパを有する検体採取棒、を含み、
前記接続部と前記固定部はそれぞれ前記検体採取棒の両端に位置し、前記接続部は前記蓋体に接続され、前記ストッパは前記接続部と前記固定部の間に位置し、且つ、前記ストッパは前記収容領域を少なくとも２つの区画に分割し、前記ストッパの最大外径がボトル体の内径とほぼ同じかまたはボトル体の内径よりもやや小さいことによって、前記ストッパの外縁は移動可能に前記ボトル体の内側に接触する検体採取容器。
【請求項２】
前記ストッパは、円盤、円錐台又は円柱であり、前記ストッパの径方向面は前記検体採取棒の軸心に対し垂直である請求項１に記載の検体採取容器。
【請求項３】
前記ストッパの数は２つである請求項１に記載の検体採取容器。
【請求項４】
少なくとも１つのストッパは少なくとも１つの窪みを更に有し、前記窪みはこれらの区画を連通する請求項１に記載の検体採取容器。
【請求項５】
前記窪みは前記ストッパの外縁に位置する請求項４に記載の検体採取容器。
【請求項６】
前記固定部は、１つ又は複数に分岐している請求項１に記載の検体採取容器。
【請求項７】
前記蓋体は前記ボトル体にネジ接続される請求項１に記載の検体採取容器。
【請求項８】
前記蓋体は更に内当接面を有し、前記内当接面は前記蓋体内に凹陥しており、前記内当接面は錐状又は円弧状をなしている請求項１に記載の検体採取容器。
【請求項９】
前記固定部は、前記収容領域の底部に接触しない請求項１に記載の検体採取容器。
【請求項１０】
前記ボトル体は第１カラム区間及び第２カラム区間を更に有し、前記第２カラム区間は前記第１カラム区間に連なるとともに前記開口から離間しており、前記第２カラム区間の内径は前記第１カラム区間の内径よりも小さいことから内径差面が形成され、前記内径差面は前記ストッパに当接する請求項１〜９のいずれかに記載の検体採取容器。